(57)【要約】【課題】  カード類を非接触スキミング被害等から確実に守れ、構成簡素で、量産に適し、比較的低廉で、経済的となり、比較的軽量で且つ耐久性に優れ、カード類を外部圧力から保護できるシールド装置を提供する。【解決手段】  一対のシールドプレート部Ａ１、Ａ２と、これらのシールドプレート部Ａ１、Ａ２を折畳み自在に連結する連結部Ｂとを備え、シールドプレート部Ａ１、Ａ２は、電磁波防止金属繊維或いは磁気遮断金属を利用して磁気や電磁波等を遮断可能となるよう形成する遮断板１と、この遮断板１に重合する保護板２と、これら遮断板１及び保護板２を覆う被覆材３とを有し、一対のシールドプレート部Ａ１、Ａ２で、カード収納具５、１０の収容ポケット８、１１に収容してある複数のカード類Ｃを、その表裏方向から挟めるように構成する。【選択図】図３
0003115303.tif 000002
【実用新案登録請求の範囲】
【請求項１】
キャッシュカードやクレジットカードやメンバーズカードやその他の適宜カード類が、財布等の適宜カード収納具に収容されている状態に於いて、カード類を非接触スキミング被害等から守るためのシールド装置であって、一対のシールドプレート部と、これらのシールドプレート部を折畳み自在に連結する連結部とを備え、シールドプレート部は、電磁波防止金属繊維或いは磁気遮断金属を利用して磁気や電磁波等を遮断可能となるよう形成される遮断板と、この遮断板に重合される保護板と、これら遮断板及び保護板を覆う被覆材とを有し、一対のシールドプレート部で、適宜カード収納具の収容ポケットに収容されている複数のカード類を、その表裏方向から挟めるように構成したことを特徴とするカード類のシールド装置。
【請求項２】
キャッシュカードやクレジットカードやメンバーズカードやその他の適宜カード類が、財布等の適宜カード収納具に収容されている状態に於いて、カード類を非接触スキミング被害等から守るためのシールド装置であって、略矩形状を呈する一対のシールドプレート部と、これらのシールドプレート部を折畳み自在に連結する略細長帯状の連結部とで構成されると共に、適宜カード収納具とは別体となるように構成され、シールドプレート部は、電磁波防止金属繊維或いは磁気遮断金属を利用して磁気や電磁波等を遮断可能となるよう形成される遮断板と、この遮断板に重合される保護板と、これら遮断板及び保護板を覆う被覆材とで形成され、一方のシールドプレート部は、カード収納具の本体内に差込み収容できるように形成し、他方のシールドプレート部は、連結部を介してカード収納具の本体に設けた複数の収容ポケット部分を外がわから覆えるように形成して、一対のシールドプレート部で、前記収容ポケットに収容されている状態の複数のカード類を、その表裏方向から挟めるように構成したことを特徴とするカード類のシールド装置。
【考案の詳細な説明】
【技術分野】
【０００１】
本考案は、例えば、キャッシュカードやクレジットカードやメンバーズカードやその他の適宜カード類が、財布等の適宜カード収納具に収容されている状態に於いて、カード類を非接触スキミング被害等から確実に守れるようにしたシールド装置に係り、特に、取扱いが容易で、カード類を外部圧力からも保護でき、既存のカード収納具にも簡単に利用でき、しかも、構成が簡素で、軽量となり、量産に適し、比較的低廉に提供できて、経済的となるように工夫したカード類のシールド装置に関するものである。
【背景技術】
【０００２】
従来、この種のカード類のシールド装置としては種々のものが提案されており、例えば、特許文献１に示すような非接触型記録媒体の収納容器等が開示されている。
そして、この非接触型記録媒体の収納容器は、非接触型記録媒体を収納可能とする容器であって、折り目を介して重なるように折り畳まれる第１折り畳み部および第２折り畳み部を有する本体と、前記第１折り畳み部に設けられ前記非接触型記録媒体を収納する収納部と、前記第２折り畳み部に設けられた電磁波遮断シートとを備えたものである。
【０００３】
【特許文献１】特開２００３−３００５７９（図１）
【考案の開示】
【考案が解決しようとする課題】
【０００４】
ところが、前述の如き非接触型記録媒体の収納容器にあっては、電磁波遮断シートが第２折り畳み部のみに設けてあるため、第２折り畳み部が第１折り畳み部から離れるように開いているときには、非接触型記録媒体のスキミングが可能となる難点があった。
また、収納容器の第２折り畳み部自体に予め電磁波遮断シートを内装させる必要があり、例えば、既存の収納容器に利用することができない難点があった。すなわち、収納容器自体を新たに購入する必要があり、経済的な負担等もあった。
【０００５】
そこで、本考案は、前述の如き難点等を解消できるようにすると共に、カード類を非接触スキミング被害等から確実に守れるようにし、更に、取扱いが容易となり、カード類を外部圧力からも保護でき、既存のカード収納具にも簡単に利用でき、しかも、構成が簡素で、軽量となり、量産に適し、比較的低廉に提供できて、経済的なカード類のシールド装置を提供すべく案出されたものである。
【課題を解決するための手段】
【０００６】
しかして、請求項１記載のシールド装置Ｓにあっては、キャッシュカードやクレジットカードやメンバーズカードやその他の適宜カード類Ｃが、財布等の適宜カード収納具５、１０に収容されている状態に於いて、カード類Ｃを非接触スキミング被害等から守るためのシールド装置Ｓであって、一対のシールドプレート部Ａ１、Ａ２と、これらのシールドプレート部Ａ１、Ａ２を折畳み自在に連結する連結部Ｂとを備え、シールドプレート部Ａ１、Ａ２は、電磁波防止金属繊維或いは磁気遮断金属を利用して磁気や電磁波等を遮断可能となるよう形成される遮断板１と、この遮断板１に重合される保護板２と、これら遮断板１及び保護板２を覆う被覆材３とを有し、一対のシールドプレート部Ａ１、Ａ２で、適宜カード収納具５、１０の収容ポケット８、１１に収容されている複数のカード類Ｃを、その表裏方向から挟めるように構成する手段を採用した。
【０００７】
また、請求項２記載のシールド装置Ｓにあっては、キャッシュカードやクレジットカードやメンバーズカードやその他の適宜カード類Ｃが、財布等の適宜カード収納具５に収容されている状態に於いて、カード類Ｃを非接触スキミング被害等から守るためのシールド装置Ｓであって、略矩形状を呈する一対のシールドプレート部Ａ１、Ａ２と、これらのシールドプレート部Ａ１、Ａ２を折畳み自在に連結する略細長帯状の連結部Ｂとで構成されると共に、適宜カード収納具５とは別体となるように構成され、シールドプレート部Ａ１、Ａ２は、電磁波防止金属繊維或いは磁気遮断金属を利用して磁気や電磁波等を遮断可能となるよう形成される遮断板１と、この遮断板１に重合される保護板２と、これら遮断板１及び保護板２を覆う被覆材３とで形成され、一方のシールドプレート部Ａ１は、カード収納具５の本体６内に差込み収容できるように形成し、他方のシールドプレート部Ａ２は、連結部Ｂを介してカード収納具５の本体６に設けた複数の収容ポケット８部分を外がわから覆えるように形成して、一対のシールドプレート部Ａ１、Ａ２で、前記収容ポケット８に収容されている状態の複数のカード類Ｃを、その表裏方向から挟めるように構成する手段を採用した。
【考案の効果】
【０００８】
従って、本考案の請求項１記載のシールド装置Ｓによれば、一対のシールドプレート部Ａ１、Ａ２に設けた遮断板１よって、カード類Ｃを非接触スキミング被害等から確実に守れるようになる。しかも、構成が簡素で、量産に適し、比較的低廉に提供できて、経済的なシールド装置Ｓとなる。
【０００９】
特に、シールドプレート部Ａ１、Ａ２は、電磁波防止金属繊維或いは磁気遮断金属を利用して磁気や電磁波等を遮断可能となるよう形成される遮断板１と、この遮断板１に重合される保護板２と、これら遮断板１及び保護板２を覆う被覆材３とを有しているので、比較的軽量で且つ耐久性の優れたシールド装置Ｓとなる。
加えて、保護板２を設けたことにより、カード類Ｃを外部圧力から保護できるようになる。
【００１０】
また、本考案の請求項２記載のシールド装置Ｓによれば、カード類Ｃを非接触スキミング被害等から確実に守れるようになる。しかも、構成が簡素で、量産に適し、低廉に提供できて、経済的なシールド装置Ｓとなる。
更に、取扱いが容易となり、既存のカード収納具５にも簡単に利用できるようになり、カード収納具５自体を新たに購入する必要がなく、経済的な負担の少ないものとなる。
【００１１】
特に、シールドプレート部Ａ１、Ａ２は、電磁波防止金属繊維或いは磁気遮断金属を利用して磁気や電磁波等を遮断可能となるよう形成される遮断板１と、この遮断板１に重合される保護板２と、これら遮断板１及び保護板２を覆う被覆材３とで形成されるので、軽量で且つ耐久性の優れたシールド装置Ｓとなる。
加えて、保護板２を設けたことにより、カード類Ｃを外部圧力から保護できるようになる。
【考案を実施するための最良の形態】
【００１２】
以下、本考案を説明すると、次の通りである。
本考案のシールド装置Ｓは、例えば、キャッシュカードやクレジットカードやメンバーズカードやその他の適宜カード類Ｃが、財布やカード入れ等の適宜カード収納具５、１０に収容されている状態に於いて、カード類Ｃを非接触スキミング被害等から守れるようにしたものである。
【００１３】
具体的には、本考案のシールド装置Ｓは、一対の略矩形状のシールドプレート部Ａ１、Ａ２と、これらのシールドプレート部Ａ１、Ａ２を折畳み自在に連結する略細長帯状の連結部Ｂとを備え、シールドプレート部Ａ１、Ａ２は、適宜電磁波防止金属繊維或いは磁気遮断金属を利用して磁気や電磁波等を遮断可能となるよう形成される略矩形状の遮断板１と、この遮断板１に重合される略矩形状の保護板２と、これら遮断板１及び保護板２を覆う被覆材３とを有し、一対のシールドプレート部Ａ１、Ａ２で、適宜カード収納具５、１０の収容ポケット８、１１に収容されている複数のカード類Ｃを、その表裏方向から挟めるように構成したものである。すなわち、一対のシールドプレート部Ａ１、Ａ２に設けた遮断板１よって、カード類Ｃを非接触スキミング被害等から確実に守れるように構成されている。
【実施例】
【００１４】
図１乃至図３に示すシールド装置Ｓは、略矩形状を呈する一対のシールドプレート部Ａ１、Ａ２と、これらのシールドプレート部Ａ１、Ａ２を折畳み自在に且つ一体的に連結する略細長帯状の連結部Ｂとで構成されたもので、財布（札入れ）等の適宜カード収納具５とは別体となるように構成されたものである。
そして、シールドプレート部Ａ１、Ａ２は、電磁波防止金属繊維（或いは磁気遮断金属）を利用して磁気や電磁波等を遮断可能となるよう形成される略矩形状の遮断板１と、この遮断板１に重合される略矩形状の保護板２と、これら遮断板１及び保護板２を覆う被覆材３とで形成されている。
それから、一方のシールドプレート部Ａ１は、カード収納具５の本体６内に差込み収容できるように形成し、他方のシールドプレート部Ａ２は、連結部Ｂを介してカード収納具５の本体６に設けた複数の収容ポケット８部分を外がわから覆えるように形成して、一対のシールドプレート部Ａ１、Ａ２で、前記収容ポケット８に収容されている状態の複数のカード類Ｃを、その表裏方向から挟めるように構成したものである。
【００１５】
前記遮断板１は、例えば、適宜電磁波防止金属繊維を利用して比較的柔軟な織地状に構成したものや、或いは、電磁波防止金属繊維を不織布状に構成したものや、或いは、電磁波防止金属繊維を比較的硬い板状に形成したものや、或いは、磁気遮断金属を利用したものや、或いは、電磁波防止金属繊維と磁気遮断金属を組合せて利用したものや、或いは、その他の適宜構造のものが利用できる。尚、その厚みはできる限り薄く、軽量に構成されることが望ましい。
【００１６】
前記保護板２は、例えば、適宜材料を利用して比較的柔軟に構成されたものや、或いは、適宜材料を利用して弾性的に構成されたもの等が使用され、一対の遮断板１の内がわに配されて、複数のカード類Ｃを適宜外力等から確実に保護できるように構成されている。
【００１７】
前記被覆材３は、例えば、皮や、布や、合成樹脂や、適宜複合材等によって構成され、遮断板１及び保護板２全体を確実に且つ簡単に被覆できるように構成されている。しかも、手触りが良くて、外観上の体裁が良いものが好ましい。尚、被覆材３の外表面には、適宜印刷を施すことが可能で、例えば、宣伝広告や、綺麗なデザインや図柄等を施すことも自由である。
【００１８】
そして、図２及び図３に示すカード収納具５は、複数のカード類Ｃを収容できる札入れで、これは、対峙する前壁部と後壁部からなり、上部が開放されている略横長矩形ポケット状の本体６と、この本体６の後壁部の上端縁に折曲自在に連設される蓋７とからなり、前壁部の外表面がわに複数の収容ポケット８を設け、この収容ポケット８にカード類Ｃを差込み収容できるように構成されたものである。
【００１９】
ところで、このカード収納具５には、一方のシールドプレート部Ａ１が、本体６の前後壁部の間に差込み収容され、他方のシールドプレート部Ａ２が、連結部Ｂを介して本体６の前壁部の外表面がわに配されるようになり、収容ポケット８に収容されている複数のカード類Ｃを、その表裏方向から一対のシールドプレート部Ａ１、Ａ２が挟むようにして使用する（図３参照）。しかも、カード類Ｃを取出すときは、例えば、他方のシールドプレート部Ａ２を上方に揺動せしめてから行うようにする。
【００２０】
また、図４及び図５に示すカード収納具１０は、複数のカード類Ｃを収容できるカード入れタイプのもので、これは、一方のシールドプレート部Ａ１と他方のシールドプレート部Ａ２が表裏の表紙状となり、連結部Ｂがこれらを折曲自在に連設し、この連結部Ｂの内表面がわに、複数の収容ポケット１１を連設した（例えば、溶着手段や、接着手段や、縫着手段等が利用される）ものである。すなわち、複数の収容ポケット１１にカード類Ｃを収容でき、これらのカード類Ｃは、一対のシールドプレート部Ａ１、Ａ２によって、その非接触スキミングが防止されるようになっている。
【００２１】
前記連結部Ｂは、例えば、比較的柔軟で、折曲自在となるように構成されており、図示例のように被覆材３と同じ材料で、被覆材３と一体となるように構成されたものであっても良いし、或いは、被覆材３と異なる材料で構成し、これをシールドプレート部Ａ１、Ａ２（遮断板１、保護板２、或いは被覆材３）に固着（例えば、接着、融着等）するように構成されたものであっても良い（図示せず）。
【００２２】
ところで、シールド装置Ｓの具体的構成、形状、寸法、材質、シールドプレート部Ａ１、Ａ２の具体的構成、形状、寸法、材質、連結部Ｂの具体的構成、形状、寸法、材質、遮断板１の具体的構成、形状、寸法、材質、配設状態、保護板２の具体的構成、形状、寸法、材質、配設状態、被覆材３の具体的構成、形状、寸法、材質、カード収納具５、１０の具体的構成、形状、寸法、材質、本体６の具体的構成、形状、寸法、材質、蓋７の具体的構成、形状、寸法、材質、収容ポケット８、１１の具体的構成、形状、寸法、数、配設位置等は図示例のもの等に限定されることなく適宜自由に設定、変更できるものである。
【図面の簡単な説明】
【００２３】
【図１】本考案のシールド装置を例示する一部切欠斜視図である。
【図２】本考案のシールド装置の使用例を示す斜視図である。
【図３】本考案のシールド装置の使用例を示す一部省略部分切欠側面図である。
【図４】本考案の他のシールド装置を例示する一部切欠斜視図である。
【図５】本考案の他のシールド装置を例示する部分切欠側面図である。
【符号の説明】
【００２４】
Ｓ    シールド装置
Ａ１  シールドプレート部
Ａ２  シールドプレート部
Ｂ    連結部
１    遮断板
２    保護板
３    被覆材
５    カード収納具
６    本体
７    蓋
８    収容ポケット
１０  カード収納具
１１  収容ポケット
Ｃ    カード類
【図１】
0003115303.tif 000003
【図２】
0003115303.tif 000004
【図３】
0003115303.tif 000005
【図４】
0003115303.tif 000006
【図５】
0003115303.tif 000007